(57)【要約】【課題】既に眼鏡を装着していても簡単に装着でき安定して立体視を得る上で有利な立体視用眼鏡を提供する。【解決手段】立体視用眼鏡１０は、左右２つの立体視用光学部材１２と、それら立体視用光学部材１２を保持するフレーム１４とを含んで構成されている。２つの立体視用リム１６は、立体視用光学部材１２をそれぞれ保持する。２つの立体視用テンプル１８の後部が使用者の耳に掛けられることで、あるいは、２つの立体視用テンプル１８が使用者の側頭部を挟持することで立体視用眼鏡１０が使用者に装着される。係合部２２は立体視用フレーム１４に設けられ、立体視用光学部材１２を使用者が既に装着している眼鏡２のレンズ６の前方箇所に位置させた状態で、眼鏡２のフレーム４のリム４Ａに係合し立体視用光学部材１２を眼鏡２のレンズ６の前方箇所に位置させた状態を維持する。【選択図】図１
2010160415.tif 000002
【特許請求の範囲】
【請求項１】
立体視映像を観察する際に使用される立体視用光学部材をそれぞれ保持し互いに連結された左右２つの立体視用リムと、前記各立体視用リムから後方に延在する立体視用テンプルとを含む立体視用フレームを備え、
前記立体視用光学部材を使用者が既に装着している眼鏡のレンズの前方箇所に位置させた状態で、前記眼鏡のフレームのリムまたはブリッジに係合し前記立体視用光学部材を前記眼鏡のレンズの前方箇所に位置させた状態を維持する係合部が前記立体視用フレームに設けられている、
立体視用眼鏡。
【請求項２】
前記各立体視用リムは、前記立体視用光学部材の上縁に沿って延在する上縁部を有し、
前記係合部は、前記各立体視用リムの上縁部からそれぞれ後方に突出し前記眼鏡のフレームのリムに上方から載置可能な２つの載置片で構成されている、
請求項１記載の立体視用眼鏡。
【請求項３】
前記各載置片の後端に、前記眼鏡のフレームのリムまたはこのリムに保持されたレンズに係止可能でそれらに係止することで前記立体視用光学部材の前方への移動を阻止する突起が設けられている、
請求項２記載の立体視用眼鏡。
【請求項４】
前記立体視用フレームは、前記２つの立体視用リムを連結する立体視用ブリッジを有し、
前記係合部は、前記立体視用ブリッジから後方に突出し前記眼鏡のフレームのブリッジに上方から載置可能な載置片で構成されている、
請求項１記載の立体視用眼鏡。
【請求項５】
前記載置片は、前記立体視用ブリッジに取り付け取り外し可能に形成されている、
請求項４記載の立体視用眼鏡。
【請求項６】
前記載置片の後端に、前記眼鏡のフレームのブリッジに係止可能で該ブリッジに係止することで前記立体視用光学部材の前方への移動を阻止する突起が設けられている、
請求項４記載の立体視用眼鏡。
【請求項７】
前記立体視用ブリッジに上下に間隔をおいて複数の取り付け孔が形成され、
前記載置片は、前記取り付け孔に嵌合可能な取り付け軸を有し、
前記取り付け孔を選択して前記取り付け軸を嵌合することで前記載置片の前記立体視用ブリッジに対する高さ調整が行われる、
請求項４記載の立体視用眼鏡。
【請求項８】
前記立体視用ブリッジに上下に細長い単一の取り付け孔が形成され、
前記取り付け孔の縁部は凹凸形状で構成され、
前記載置片は、前記取り付け孔に嵌合可能な取り付け軸を有し、
前記取り付け軸の周面は前記凹凸形状に係合可能な凹凸形状で構成され、
前記取り付け孔の上下の位置を選択して前記取り付け軸を係合することで前記載置片の前記立体視用ブリッジに対する高さ調整が行われる、
請求項４記載の立体視用眼鏡。
【請求項９】
前記立体視用ブリッジに上下に細長い単一の取り付け孔が形成され、
前記取り付け孔の縁部は凹凸形状で構成され、
前記載置片は、前記取り付け孔に嵌合可能な取り付け軸を有し、
前記取り付け軸の周面は前記凹凸形状に係合可能な凹凸形状で構成され、
前記取り付け軸の凹凸形状を前記取り付け孔の凹凸形状に係合させた状態でユーザーの手により前記載置片を前記取り付け孔の延在方向に沿って移動でき、ユーザーが前記載置片から手を離すと前記載置片は前記移動された箇所に保持され、前記載置片の前記立体視用ブリッジに対する高さ調整が行われる、
請求項４記載の立体視用眼鏡。
【請求項１０】
前記立体視用フレームは、前記２つの立体視用リムを連結する立体視用ブリッジを有し、
前記係合部は、前記立体視用ブリッジから後方に突出し前記眼鏡のフレームのブリッジを挟持する一対の挟持片で構成されている、
請求項１記載の立体視用眼鏡。
【請求項１１】
前記立体視用ブリッジに上下に細長い単一の取り付け孔が形成され、
前記取り付け孔の縁部は凹凸形状で構成され、
前記各挟持片は、前記取り付け孔に嵌合可能な取り付け軸を有し、
前記取り付け軸の周面は前記凹凸形状に係合可能な凹凸形状で構成され、
前記取り付け孔の上下の位置を選択して前記取り付け軸を係合することで前記各挟持片の前記立体視用ブリッジに対する高さ調整が行われる、
請求項１０記載の立体視用眼鏡。
【請求項１２】
前記立体視用フレームは、前記２つの立体視用リムを連結する立体視用ブリッジを有し、
前記２つの立体視用リムの上縁部および前記立体視用ブリッジの上縁部から突出し前記眼鏡のフレームのリムに上方から載置可能な単一の載置片が突設され、
前記係合部は前記載置片で構成されている、
請求項１記載の立体視用眼鏡。
【請求項１３】
前記載置片は、前記２つ立体視用リムの幅方向の両端に位置する外端よりも内側の立体視用リムの箇所の間で延在する幅を有し、
前記載置片の後部で幅方向の両端寄りの箇所に、前記眼鏡のフレームのリムまたはこのリムに保持されたレンズに係止可能でそれらに係止することで前記立体視用光学部材の前方への移動を阻止する突起が設けられている、
請求項１２記載の立体視用眼鏡。
【請求項１４】
前記各立体視用リムは、前記立体視用光学部材の上縁に沿って延在する上縁部を有し、
前記上縁部に上方に開放状の凹部が設けられ、
前記係合部は、前記各凹部に設けられ前記立体視用リムから後方に突出する係止位置と、前記立体視用リムの上方に突出する非係止位置との間で揺動可能でそれら係止位置と非係止位置とに係止保持される載置片で構成され、
前記各載置片は、前記係止位置で眼鏡のフレームのリムに上方から載置可能に形成されている、
請求項１記載の立体視用眼鏡。
【請求項１５】
前記凹部から最も離れた前記各載置片の先端に、前記係止位置で前記眼鏡のフレームのリムまたはこのリムに保持されたレンズに係止可能でそれらに係止することで前記立体視用光学部材の前方への移動を阻止する突起が設けられている、
請求項１４記載の立体視用眼鏡。
【請求項１６】
観察する際に使用される観察用光学部材をそれぞれ保持し互いに連結された左右２つの観察用リムと、前記各観察用リムから後方に延在する観察用テンプルとを含む観察用フレームを備え、
前記観察用光学部材を使用者が既に装着している眼鏡のレンズの前方箇所に位置させた状態で、前記眼鏡のフレームのリムまたはブリッジに係合し前記観察用光学部材を前記眼鏡のレンズの前方箇所に位置させた状態を維持する係合部が前記観察用フレームに設けられている、
観察用眼鏡。
【発明の詳細な説明】
【技術分野】
【０００１】
本発明は立体視用眼鏡に関する。
【背景技術】
【０００２】
従来より、立体映像投影装置によりスクリーン上に左目用映像と右目用映像とを投影すると共に、使用者が立体視用眼鏡を装着してスクリーン上の映像を観察することにより立体視を得る３次元映像表示システムが知られている。
上記立体視用眼鏡として、立体視映像を観察する際に使用される立体視用光学部材をそれぞれ保持し互いに連結された左右２つの立体視用リムと、各立体視用リムに繋がる立体視用テンプルとを含む立体視用フレームを備えるものが提供されている（特許文献１、２、３参照）。
立体視用光学部材は、左目用映像を左目に、右目用映像を右目にそれぞれ独立して導くことにより立体視を行わせるものである。
【先行技術文献】
【特許文献】
【０００３】
【特許文献１】特開平１１−７５２２３
【特許文献２】特開平１１−９５１８６
【特許文献３】特開平１１−９８５３７
【発明の概要】
【発明が解決しようとする課題】
【０００４】
ところで、既に視力矯正用などの眼鏡を装着している使用者が立体視用眼鏡を使用する場合には、既に装着している眼鏡のフレームの上から立体視用フレームを重ねて装着することになる。
そのため、立体視用眼鏡を装着し難いことは無論のこと、立体視用眼鏡の位置が安定しにくく、立体視用眼鏡の立体視用光学部材が、既に装着している眼鏡のレンズの前方箇所からずれやすいため、３次元映像の立体視を安定して得られない不利があった。
本発明はこのような事情に鑑みなされたものであり、その目的は既に眼鏡を装着していても簡単に装着でき安定して立体視を得る上で有利な立体視用眼鏡を提供することにある。
【課題を解決するための手段】
【０００５】
上述の目的を達成するため、本発明の立体視用眼鏡は、立体視映像を観察する際に使用される立体視用光学部材をそれぞれ保持し互いに連結された左右２つの立体視用リムと、前記各立体視用リムから後方に延在する立体視用テンプルとを含む立体視用フレームを備え、前記立体視用光学部材を使用者が既に装着している眼鏡のレンズの前方箇所に位置させた状態で、前記眼鏡のフレームのリムまたはブリッジに係合し前記立体視用光学部材を前記眼鏡のレンズの前方箇所に位置させた状態を維持する係合部が前記立体視用フレームに設けられている。
【発明の効果】
【０００６】
本発明の立体視用眼鏡は、立体視用テンプルにより使用者に装着される。
係合部が、使用者が既に装着している眼鏡のフレームのリムまたはブリッジに係合し、立体視用光学部材を眼鏡のレンズの前方箇所に位置させた状態を維持する。
【図面の簡単な説明】
【０００７】
【図１】（Ａ）は第１の実施の形態の立体視用眼鏡１０の平面図、（Ｂ）は立体視用眼鏡１０の正面図、（Ｃ）は側面図である。
【図２】（Ａ）は係合部２２の平面図、（Ｂ）は係合部２２の正面図、（Ｃ）は係合部２２の側面図である。
【図３】（Ａ）は立体視用眼鏡１０の使用状態を示す平面図、（Ｂ）は立体視用眼鏡１０の使用状態を示す正面図、（Ｃ）は立体視用眼鏡１０の使用状態を示す側面図である。
【図４】（Ａ）は第２の実施の形態の立体視用眼鏡１０の平面図、（Ｂ）は立体視用眼鏡１０の正面図、（Ｃ）は立体視用眼鏡１０の側面図である。
【図５】（Ａ）は係合部２２の平面図、（Ｂ）は係合部２２の正面図、（Ｃ）は係合部２２の側面図である。
【図６】（Ａ）は第３の実施の形態の立体視用眼鏡１０の平面図、（Ｂ）は立体視用眼鏡１０の正面図、（Ｃ）は立体視用眼鏡１０の側面図である。
【図７】（Ａ）は第４の実施の形態の立体視眼鏡１０の後面図、（Ｂ）は載置片３０の平面図、（Ｃ）は載置片３０の正面図、（Ｄ）は第４の実施の形態の変形例の載置片３０の平面図、（Ｅ）は第４の実施の形態の変形例の載置片３０の正面図である。
【図８】（Ａ）は第４の実施の形態の立体視用眼鏡１０の使用状態を示す平面図、（Ｂ）は立体視用眼鏡１０の使用状態を示す正面図、（Ｃ）は立体視用眼鏡１０の使用状態を示す側面図である。
【図９】（Ａ）は第５の実施の形態の立体視用眼鏡１０の後面図、（Ｂ）は載置片３０の平面図、（Ｃ）は載置片３０の正面図、（Ｄ）は第５の実施の形態の変形例の載置片３０の平面図、（Ｅ）は第５の実施の形態の変形例の載置片３０の正面図である。
【図１０】（Ａ）は第５の実施の形態の取り付け孔３８の平面図、（Ｂ）は載置片３０の平面図、（Ｃ）は載置片３０の正面図、（Ｄ）は載置片３０の側面図である。
【図１１】第５の実施の形態の変形例の載置片３０の側面図である。
【図１２】第７の実施の形態おける立体視用眼鏡１０の使用状態を示す平面図、（Ｂ）は立体視用眼鏡１０の使用状態を示す正面図、（Ｃ）は立体視用眼鏡１０の使用状態を示す側面図である。
【図１３】第８の実施の形態の立体視用眼鏡１０の後面図である。
【図１４】（Ａ）は第９の実施の形態の立体視用眼鏡１０の平面図、（Ｂ）は立体視用眼鏡１０の正面図、（Ｃ）は立体視用眼鏡１０の側面図である。
【図１５】（Ａ）は第１０の実施の形態の立体視用眼鏡１０の平面図、（Ｂ）は立体視用眼鏡１０の正面図、（Ｃ）は立体視用眼鏡１０の側面図である。
【図１６】（Ａ）は第１０の実施の形態の立体視用眼鏡１０の使用状態を示す平面図、（Ｂ）は立体視用眼鏡１０の使用状態を示す正面図、（Ｃ）は立体視用眼鏡１０の使用状態を示す側面図である。
【図１７】（Ａ）は第１１の実施の形態の立体視用眼鏡１０の後面図、（Ｂ）は載置片５０の平面図、（Ｃ）は載置片５０の正面図である。
【図１８】（Ａ）は第１１の実施の形態の立体視用眼鏡１０の使用状態を示す後面図、（Ｂ）は立体視用眼鏡１０の使用状態を示す正面図、（Ｃ）は立体視用眼鏡１０の使用状態を示す側面図である。
【図１９】（Ａ）は第１２の実施の形態の立体視用眼鏡１０の後面図、（Ｂ）は載置片５０の平面図、（Ｃ）は載置片５０の正面図である。
【図２０】（Ａ）は第１３の実施の形態の立体視用眼鏡１０の後面図、（Ｂ）は載置片２６の平面図、（Ｃ）は載置片２６の正面図である。
【図２１】（Ａ）は第１３の実施の形態の立体視用眼鏡１０の使用状態を示す後面図、（Ｂ）は立体視用眼鏡１０の使用状態を示す正面図、（Ｃ）は立体視用眼鏡１０の使用状態を示す側面図である。
【図２２】（Ａ）は第１４の実施の形態の立体視用眼鏡１０の後面図、（Ｂ）は載置片６２の非係止位置を示す立体視用眼鏡１０の側面図、（Ｃ）は載置片６２の係止位置を示す立体視用眼鏡１０の側面図、（Ｄ）は載置片６２の平面図、（Ｅ）は載置片６２の側面図である。
【図２３】（Ａ）は第１５の実施の形態の立体視用眼鏡１０の後面図、（Ｂ）は載置片６２の非係止位置を示す立体視用眼鏡１０の側面図、（Ｃ）は載置片６２の係止位置を示す立体視用眼鏡１０の側面図、（Ｄ）は載置片６２の平面図、（Ｅ）は載置片６２の側面図である。
【図２４】第１６の実施の形態の立体視用眼鏡１０の展開図である。
【図２５】第１６の実施の形態の立体視用眼鏡１０の平面図である。
【図２６】（Ａ）は立体視用眼鏡１０の組み立て説明図、（Ｂ）は立体視眼鏡１０の側面図、（Ｃ）は（Ｂ）のＣＣ線断面図である。
【発明を実施するための形態】
【０００８】
（第１の実施の形態）
次に、本発明の第１の実施の形態について図１乃至図３を参照して説明する。
図１（Ａ）、（Ｂ）、（Ｃ）に示すように、立体視用眼鏡１０は、左右２つの立体視用光学部材１２と、それら立体視用光学部材１２を保持するフレーム１４とを含んで構成されている。
各立体視用光学部材１２は、同形同大の矩形の薄板状を呈している。
各立体視用光学部材１２は、立体視映像を観察する際に使用されるものである。
すなわち、各立体視用光学部材１２は、左目用の映像を左目に、右目用の映像を右目にそれぞれ独立して導くことにより立体視を行わせるものである。
各立体視用光学部材１２としては、例えば、透過状態と不透過状態とに駆動される２つの液晶シャッター、あるいは、互いに偏光方向が異なる２つの偏光フィルター（偏光板）、あるいは、互いに透過特性が異なる２つの波長選択フィルターが採用可能である。
なお、立体視用光学部材１２として上述の液晶シャッターやフィルター以外の従来公知のさまざまな光学部材が採用可能である。
【０００９】
フレーム１４は、左右２つの立体視用リム１６と、左右２つの立体視用テンプル１８と、立体視用ブリッジ２０と、係合部２２とを含んで構成されている。
各立体視用リム１６と、各立体視用テンプル１８と、立体視用ブリッジ２０と、係合部２２は合成樹脂材料で一体に形成されている。
このような合成樹脂材料としては、ＡＢＳ樹脂、ナイロンなど従来公知のさまざまな合成樹脂材料が採用可能である。
【００１０】
２つの立体視用リム１６は、立体視用光学部材１２をそれぞれ保持するものであり、互いに連結されている。
各立体視用リム１６は、上縁部１６０２と、下縁部１６０４と、外側縁部１６０６と、内側縁部１６０８とで矩形枠状に形成されている。
上縁部１６０２は、立体視用光学部材１２の上縁に沿って左右に延在している。
下縁部１６０４は、立体視用光学部材１２の下縁に沿って左右に延在している。
外側縁部１６０６は、立体視用光学部材１２の外縁に沿って上下に延在している。
内側縁部１６０８は、立体視用光学部材１２の内縁に沿って上下に延在している。
【００１１】
立体視用ブリッジ２０は２つの立体視用リム１６の間に設けられ、２つの立体視用リム１６を連結している。
本実施の形態では、立体視用ブリッジ２０は、立体視用リム１６と同じ高さを有して左右に延在し、各立体視用リム１６の内側縁部１６０８を連結している。
立体視用ブリッジ２０の下部には下方に開放された切り欠き２００２が形成されている。
この切り欠き２００２は、既に眼鏡を装着している使用者がこの立体視用眼鏡１０を装着した際に、立体視用ブリッジ２０が使用者の鼻に当たらないようにするためのものである。
また、この切り欠き２００２は、眼鏡を装着していない使用者がこの立体視用眼鏡１０を装着した際に、立体視用ブリッジ２０が使用者の鼻に掛かり立体視用眼鏡１０が装着されるようにするためのものである。
【００１２】
２つの立体視用テンプル１８は細長形状を呈し長手方向の一端が立体視用リム１６の上縁部１６０２の外端および外側縁部１６０８の上端に連結され、立体視用リム１６から後方に延在している。
２つの立体視用テンプル１８の後部が使用者の耳に掛けられることで、あるいは、２つの立体視用テンプル１８が使用者の側頭部を挟持することで立体視用眼鏡１０が使用者に装着される。
詳細に説明すると、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の耳に掛けられる。
あるいは、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の側頭部を挟持する。
なお、眼鏡を装着していない使用者がこの立体視用眼鏡１０を装着する際には、立体視用テンプル１８の後部が使用者の耳に掛けられ、あるいは、テンプルの上方箇所で使用者の側頭部を挟持する。その際、切り欠き２００２を鼻に掛けることで切り欠き２００２を鼻当てとして使用することで立体視用眼鏡１０が使用者に安定して装着される。
立体視用テンプル１８と立体視用リム１６は、上述のように一体成形してもよく、あるいは蝶番でそれら立体視用テンプル１８と立体視用リム１６とを連結し、立体視用テンプル１８を立体視用リム１６に対して折り畳み可能に構成してもよい。
【００１３】
図３（Ａ）、（Ｂ）、（Ｃ）に示すように、係合部２２は立体視用フレーム１４に設けられている。
係合部２２は、立体視用光学部材１２を使用者が既に装着している眼鏡２のレンズ６の前方箇所に位置させた状態で、眼鏡２のフレーム４のリム４Ａに係合し立体視用光学部材１２を眼鏡２のレンズ６の前方箇所に位置させた状態を維持するものである。
なお、図３（Ｂ）において符号４Ｂは眼鏡２の鼻当て（パッド）を示す。
本実施の形態では、係合部２２は、各立体視用リム１６の上縁部１６０２からそれぞれ後方に突出し眼鏡２のフレーム４のリム４Ａに上方から載置可能な２つの載置片２６で構成されている。
図２（Ａ）、（Ｂ）、（Ｃ）に示すように、各載置片２６は同形同大の半円形状を呈しており、左右幅方向の中央部分が最も後方に突出している。
なお、各載置片２６の後方への突出長さは、眼鏡を装着していない使用者がこの立体視用眼鏡１０を装着した際に、使用者の目蓋に当たらない寸法で形成されている。すなわち、眼鏡を装着していない使用者が、通常の眼鏡と同様に何ら支障なく立体視用眼鏡１０を装着できるように形成されている。
【００１４】
第１の実施の形態によれば、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の耳に掛けられる。
あるいは、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の側頭部を挟持する。
そして、立体視用フレーム１４に設けた係合部２２である載置片２６を、使用者が既に装着している眼鏡２のフレーム４のリム４Ａに載置することにより、立体視用光学部材１２を眼鏡２のレンズ６の前方箇所に位置させた状態を維持するようにした。
したがって、載置片２６をリム４Ａに載置するといった簡単な操作で、既に使用者が装着している眼鏡２のフレーム４の上から立体視用フレーム１２を装着することができ装着の容易化を図る上で有利となる。
また、立体視用光学部材１２が、既に装着している眼鏡２のレンズ６の前方箇所に安定した状態で位置するため、３次元映像の立体視を確実に行う上で有利となる。
【００１５】
（第２の実施の形態）
次に第２の実施の形態について図４、図５を参照して説明する。なお、以下の実施の形態において第１の実施の形態と同様の部分、部材には同一の符号を付して重複する説明を省略する。
第２の実施の形態は第１の実施の形態の変形例であり、図４（Ａ）、（Ｂ）、（Ｃ）に示すように、各載置片２６に突起２８が設けられている点が第１の実施の形態と相違している。
突起２８は、立体視用リム１６の上縁部１６０２から最も離れた各載置片２６の先端、すなわち各載置片２６の後端に設けられている。
突起２８は、眼鏡２のフレーム４のリム４Ａまたはこのリム４Ａに保持されたレンズ６に係止可能でそれらに係止することで立体視用光学部材１２の前方への移動を阻止するものである。
このような立体視用眼鏡１０を眼鏡２の上から装着した場合、使用者が頭部を下方に傾けた姿勢をとったとしても、突起２８が眼鏡２のリム４Ａまたはレンズ６に係止するため、立体視用光学部材１２の前方への移動が確実に阻止される。
したがって、第２の実施の形態によれば、立体視用光学部材１２を、既に装着している眼鏡２のレンズ６の前方箇所に安定した状態で位置させる上でより有利となり、３次元映像の立体視を確実に行う上でより有利となる。
【００１６】
（第３の実施の形態）
次に第３の実施の形態について図６を参照して説明する。
第３の実施の形態は、図６（Ａ）、（Ｂ）、（Ｃ）に示すように、立体視用ブリッジ２０に係合部２２を設けた点が第１の実施の形態と相違している。
係合部２２は、立体視用ブリッジ２０から後方に突出し眼鏡２のフレーム４のブリッジ４Ｃに上方から載置可能な載置片３０で構成されている。
載置片３０は立体視用ブリッジ２０と一体に形成されている。
図６（Ａ）、（Ｂ）、（Ｃ）に示すように、載置片３０は後方に向かって凸状の湾曲形状を呈しており、左右幅方向の中央部分が最も後方に突出している。
なお、載置片３０の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
【００１７】
第３の実施の形態によれば、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の耳に掛けられる。
あるいは、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の側頭部を挟持する。
そして、立体視用フレーム１４に設けた係合部２２である載置片３０を、使用者が既に装着している眼鏡２のフレーム４のブリッジ４Ｃに載置することにより、立体視用光学部材１２を眼鏡２のレンズ６の前方箇所に位置させた状態を維持するようにした。
したがって、載置片３０をブリッジ４Ｃに載置するといった簡単な操作で、既に使用者が装着している眼鏡２のフレーム４の上から立体視用フレーム１２を装着することができ装着の容易化を図る上で有利となる。
また、立体視用光学部材１２が、既に装着している眼鏡２のレンズ６の前方箇所に安定した状態で位置するため、３次元映像の立体視を確実に行う上で有利となる。
また、第３の実施の形態では、係合部２２としての載置片３０を１つ設ければよいため、構成の簡素化できコストダウンを図る上で有利となる。
【００１８】
（第４の実施の形態）
次に第４の実施の形態について図７、図８を参照して説明する。
眼鏡２のフレーム４は様々なデザインのものがあり、したがって、ブリッジ４Ｃのレンズ６に対する高さ、あるいは、ブリッジ４Ｃのリム４Ａに対する高さも種々異なっている。
したがって、第３の実施の形態のように、載置片３０の立体視用ブリッジ２０に対する高さが固定されていると、眼鏡２のデザインによっては、眼鏡２の視野と立体視用眼鏡１０の視野とにずれが生じことが懸念される。あるいは、立体視用リム１６の上縁部１６０２あるいは下縁部１６０４が使用者の視界を邪魔することが懸念される。
そこで、第４の実施の形態では、立体視用ブリッジ２０に対する載置片３０の高さを調整可能に構成した。
図７（Ａ）に示すように、立体視用ブリッジ２０の後面で左右方向の中央に上下に間隔をおいて複数の取り付け孔３２が形成されている。
図７（Ｂ）、（Ｃ）に示すように、載置片３０は、取り付け孔３２に嵌合可能な取り付け軸３４を有しており、載置片３０は、取り付け軸３４を取り付け孔３２に嵌合し、取り外すことで立体視用ブリッジ２０に取り付け取り外し可能である。
したがって、複数の取り付け孔３２から１つの取り付け孔３２を選択して取り付け軸３４を嵌合することで載置片３０の立体視用ブリッジ２０に対する高さ調整が行われる。
なお、載置片３０が立体視用ブリッジ２０に取り付けられた状態で載置片３０の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
【００１９】
第４の実施の形態によれば、第３の実施の形態と同様の効果が奏されることは無論のことである。
また、様々なデザインが施された眼鏡２を装着した使用者であっても、眼鏡２と立体視用眼鏡１０との間の視野が合致するように載置片３０の立体視用ブリッジ２０に対する高さ調整を行うことができる。あるいは、立体視用リム１６の上縁部１６０２あるいは下縁部１６０４が使用者の視界を邪魔しないように、載置片３０の立体視用ブリッジ２０に対する高さ調整を行うことができる。
したがって、立体視を確実に行うことができ、立体視用眼鏡１０の使い勝手の向上を図る上で有利となる。
【００２０】
また、第４の実施の形態において、図７（Ｄ）、（Ｅ）に示すように、立体視用ブリッジ２０から最も離れた載置片３０の先端に下方に突出する突起３６を設けてもよい。
この突起３６は、眼鏡２のフレーム４のブリッジ４Ｃに係止可能で該ブリッジ４Ｃに係止することで立体視用光学部材１２の前方への移動を阻止するものである。
突起３６を設けると、立体視用眼鏡１０を眼鏡２の上から装着した場合、使用者が頭部を下方に傾けた姿勢をとったとしても、突起３６が眼鏡２のブリッジ４Ｃに係止するため、立体視用光学部材１２の前方への移動が確実に阻止される。
したがって、立体視用光学部材１２を、既に装着している眼鏡２のレンズ６の前方箇所に安定した状態で位置させる上でより有利となり、３次元映像の立体視を確実に行う上でより有利となる。
【００２１】
（第５の実施の形態）
次に第５の実施の形態について図９、図１０を参照して説明する。
第５の実施の形態は第４の実施の形態の変形例である。
図９（Ａ）、図１０（Ａ）に示すように、立体視用ブリッジ２０に上下に細長い単一の取り付け孔３８が形成されている。
取り付け孔３８の縁部は凹凸形状３８０２で構成されている。
図９（Ｂ）、（Ｃ）、図１０（Ｂ）、（Ｃ）、（Ｄ）に示すように、載置片３０は、取り付け孔３８に嵌合可能な取り付け軸４０を有している。
取り付け軸４０は断面が矩形を呈し、取り付け軸４０の周面は取り付け孔３８の凹凸形状３８０２に係合可能な凹凸形状４００２で形成されている。
取り付け孔３８の上下の位置を選択して取り付け軸４０を係合することで載置片３０の立体視用ブリッジ２０に対する高さ調整が行われる。
なお、載置片３０が立体視用ブリッジ２０に取り付けられた状態で載置片３０の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
【００２２】
第５の実施の形態においても、第４の実施の形態と同様の効果が奏される。
また、取り付け孔３８および取り付け軸４０の凹凸形状のピッチを短い寸法で形成すれば、載置片３０の立体視用ブリッジ２０に対する高さ調整をきめ細かく行う上で有利となる。
【００２３】
また、第５の実施の形態において、図９（Ｄ）、（Ｅ）に示すように、立体視用ブリッジ２０から最も離れた載置片３０の先端に下方に突出する突起３６を設けてもよい。
この突起３６は、眼鏡２のフレーム４のブリッジ４Ｃに係止可能で該ブリッジ４Ｃに係止することで立体視用光学部材１２の前方への移動を阻止するものである。
突起３６を設けると、立体視用眼鏡１０を眼鏡２の上から装着した場合、使用者が頭部を下方に傾けた姿勢をとったとしても、突起３６が眼鏡２のブリッジ４Ｃに係止するため、立体視用光学部材１２の前方への移動が確実に阻止される。
したがって、立体視用光学部材１２を、既に装着している眼鏡２のレンズ６の前方箇所に安定した状態で位置させる上でより有利となり、３次元映像の立体視を確実に行う上でより有利となる。
【００２４】
（第６の実施の形態）
次に第６の実施の形態について図１０、図１１を参照して説明する。
第６の実施の形態は、取り付け軸４０を取り付け孔３８に嵌合した状態で上下に移動できるようにした点が第５の実施の形態と相違している。
図１１に示すように、取り付け孔３８は立体視用ブリッジ２０を貫通して形成されている。
取り付け孔３８に挿通された取り付け軸４０の長さは、載置片３０の基端面を立体視用ブリッジ２０の後面に当接した状態で立体視用ブリッジ２０の前面から取り付け軸４０の先端が突出する寸法で形成されている。
この突出した取り付け軸４０の先端（後端）に、ピン４２０２を介して抜け止め部材４２が取着されている。
抜け止め部材４２は取り付け孔３８の幅よりも大きな寸法の幅で形成されており、抜け止め部材４２が取り付け孔３８の縁部に係止することで取り付け軸４０の取り付け孔３８からの脱落が防止されている。
【００２５】
図１０（Ａ）、（Ｃ）に示すように、取り付け孔３８の対向する凹凸形状３８０２の間隔Ａに対して、取り付け軸４０の周面の両側の凹凸形状４００２の間隔Ｂは僅かに大きな寸法で形成されている。
また、立体視用ブリッジ２０および取り付け軸４０は、少なくとも凹凸形状３８０２、４００２部分が弾性を有する材料で形成されている。このような材料として弾性を有する合成樹脂材料やゴム材料が採用可能である。
ここで、取り付け軸４０の凹凸形状４００２が取り付け孔３８の凹凸形状３８０２に嵌合した状態で、載置片３０を把持して上下方向に動かす。
すると、凹凸形状４００２と、該凹凸形状４００２に係合する凹凸形状３８０２とが互いに変形することで、取り付け軸４０の上下方向への移動が許容される。
所望の位置で載置片３０から指を離すと、凹凸形状４００２と凹凸形状３８０２とが係合することで載置片３０が所望の高さに保持される。
すなわち、載置片３０を上下方向に動かすことで載置片３０の立体視用ブリッジ２０に対する高さ調整が行われる。
【００２６】
第６の実施の形態においても、第５の実施の形態と同様の効果が奏されることは無論のことである。
また、載置片３０の立体視用ブリッジ２０に対する高さ調整の際に、載置片３０を取り付け孔３８からいったん取り外したのち、取り付け孔３８に嵌合する必要が無いため、操作性の向上を図る上で有利となる。また、載置片３０を取り付け孔３８から取り外さないので、載置片３０の紛失を防止でき使い勝手の向上を図る上で有利となる。
【００２７】
（第７の実施の形態）
次に第７の実施の形態について図１２を参照して説明する。
第７の実施の形態は、第３の実施の形態の変形例であり、図１２（Ａ）、（Ｂ）、（Ｃ）に示すように、係合部２２が一対の挟持片４４で構成されている点が第３の実施の形態と相違している。
一対の挟持片４４は、立体視用ブリッジ２０から後方に突出し眼鏡２のフレーム４のブリッジ４Ｃを上下から挟持する。
なお、一対の挟持片４４が立体視用ブリッジ２０に取り付けられた状態で一対の挟持片４４の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
【００２８】
第７の実施の形態においても、第３の実施の形態と同様の効果が奏されることは無論のことである。
また、一対の挟持片４４により眼鏡２のフレーム４のブリッジ４Ｃを挟持するので、立体視用光学部材１２を、既に装着している眼鏡２のレンズ６の前方箇所に安定した状態で位置させる上でより有利となり、３次元映像の立体視を確実に行う上でより有利となる。
【００２９】
（第８の実施の形態）
次に第８の実施の形態について図１３を参照して説明する。
第８の実施の形態は、第７の実施の形態の変形例であり、第４の実施の形態と同様に各挟持片４４の立体視用ブリッジ２０に対する高さ調整を可能とした点が第７の実施の形態と相違している。
図１３に示すように、立体視用ブリッジ２０に上下に細長い単一の取り付け孔４６が形成されている。
取り付け孔４６の縁部は凹凸形状４６０２で構成されている。
各挟持片４４は、取り付け孔４６に嵌合可能な取り付け軸４８を有している。
取り付け軸４８は断面が矩形を呈し、取り付け軸４８の周面は取り付け孔４６の凹凸形状４６０２に係合可能な凹凸形状４８０２で形成されている。
取り付け孔４６の上下の位置を選択して取り付け軸４８を係合することで各挟持片４４の立体視用ブリッジ２０に対する高さ調整が行われる。
【００３０】
第８の実施の形態においても、第７の実施の形態と同様の効果が奏される。
また、様々なデザインが施された眼鏡２を装着した使用者であっても、眼鏡２と立体視用眼鏡１０との間の視野が合致するように各挟持片４４の立体視用ブリッジ２０に対する高さ調整を行うことができる。あるいは、立体視用リム１６の上縁部１６０２あるいは下縁部１６０４が使用者の視界を邪魔しないように、各挟持片４４の立体視用ブリッジ２０に対する高さ調整を行うことができる。
したがって、立体視を確実に行うことができ、立体視用眼鏡１０の使い勝手の向上を図る上で有利となる。
また、取り付け孔４６および取り付け軸４８の凹凸形状のピッチを短い寸法で形成すれば、各挟持片４４の立体視用ブリッジ２０に対する高さ調整をきめ細かく行う上で有利となる。
【００３１】
なお、この第８の実施の形態において、凹凸形状４６０２、４８０２の寸法を第６の実施の形態と同様に設定することで、取り付け軸４８を取り付け孔４６に嵌合した状態で各挟持片４４の高さ調整を行うことが可能となる。
さらに、各挟持片４４の取り付け軸４８の先端に、第６の実施の形態と同様な抜け止め部材４２を取着すると、挟持片４４の紛失を防止でき使い勝手の向上を図る上で有利となる。
【００３２】
（第９の実施の形態）
次に第９の実施の形態について図１４を参照して説明する。
第９の実施の形態は、図１４（Ａ）、（Ｂ）、（Ｃ）に示すように、係合部２２が単一の載置片５０で構成されたものである。
立体視用フレーム１４は、２つの立体視用リム１６を連結する立体視用ブリッジ２０を有している。
係合部２２は、２つの立体視用リム１６の上縁部１６０２および立体視用ブリッジ２０の上縁部２０１０からそれぞれ後方に突出し眼鏡２（図３参照）のフレーム４（図３参照）のリム４Ａ（図３参照）に上方から載置可能な単一の載置片５０で構成されている。
載置片５０は、該載置片５０の左右両端が２つの立体視用リム１６の外側縁部１６０６よりも内側に位置する寸法で形成され、載置片５０の左右両端とテンプル１８との間には隙間５１が形成されている。
載置片５０は後方に向かって凸状の湾曲形状を呈しており、左右幅方向の中央部分が最も後方に突出している。
なお、載置片５０の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
【００３３】
第９の実施の形態によれば、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の耳に掛けられる。
あるいは、既に眼鏡を装着している使用者がこの立体視用眼鏡１０を装着する際に、立体視用テンプル１８の後部が、既に装着された眼鏡のテンプルの外側から、あるいは、既に装着された眼鏡のテンプルの上方箇所で使用者の側頭部を挟持する。
そして、立体視用フレーム１４に設けた係合部２２である単一の載置片５０を、使用者が既に装着している眼鏡２のフレーム４の２つのリム４Ａにわたって載置することにより、立体視用光学部材１２を眼鏡２のレンズ６の前方箇所に位置させた状態を維持するようにした。
したがって、単一の載置片５０を２つのリム４Ａにわたって載置するといった簡単な操作で、既に使用者が装着している眼鏡２のフレーム４の上から立体視用フレーム１２を装着することができ装着の容易化を図る上で有利となる。
また、立体視用光学部材１２が、既に装着している眼鏡２のレンズ６の前方箇所に安定した状態で位置するため、３次元映像の立体視を確実に行う上で有利となる。
また、第９の実施の形態では、載置片５０が１つで済むため、立体視用眼鏡１０の構成を簡素化できコストダウンを図る上で有利となる。
【００３４】
（第１０の実施の形態）
次に第１０の実施の形態について図１５、図１６を参照して説明する。
第１０の実施の形態は、第９の実施の形態の変形例であり、図１５（Ａ）、（Ｂ）、（Ｃ）に示すように、載置片５０に２つの突起５２が設けられている点が第９の実施の形態と相違している。
図１６（Ａ）、（Ｂ）、（Ｃ）に示すように、２つの突起５２は、眼鏡２のフレーム４のリム４Ａまたはこのリム４Ａに保持されたレンズ６に係止可能でそれらに係止することで立体視用光学部材１２の前方への移動を阻止するものである。
本実施の形態では、２つの突起５２は、載置片５０の後部で幅方向の両端寄りの箇所に下方に突出して設けられている。
このような立体視用眼鏡１０を眼鏡２の上から装着した場合、使用者が頭部を下方に傾けた姿勢をとったとしても、突起５２が眼鏡のリム４Ａまたはレンズ６に係止するため、立体視用光学部材１２の前方への移動が確実に阻止される。
したがって、第１０の実施の形態によれば、立体視用光学部材１２を、既に装着している眼鏡２のレンズ６の前方箇所に安定した状態で位置させる上でより有利となり、３次元映像の立体視を確実に行う上でより有利となる。
また、本実施の形態のように２つの突起５２を載置片５０の両端寄りの箇所に設けると、２つの突起５２の左右方向の間隔を大きく確保できるため、立体視用光学部材１２を眼鏡２のレンズ６の前方箇所に安定した状態で位置させる上でより一層有利となる。
【００３５】
（第１１の実施の形態）
次に第１１の実施の形態について図１７、図１８を参照して説明する。
眼鏡２のフレーム４は様々なデザインのものがあり、したがって、リム４Ａの高さも種々異なっている。
したがって、第１０の実施の形態のように、載置片５０の立体視用リム１６に対する高さが固定されていると、眼鏡２のデザインによっては、眼鏡２の視野と立体視用眼鏡１０の視野とにずれが生じことが懸念される。あるいは、立体視用リム１６の上縁部１６０２あるいは下縁部１６０４が使用者の視界を邪魔することが懸念される。
そこで、第１１の実施の形態では、第５の実施の形態（図１０）と同様に、立体視用リム１６に対する載置片５０の高さを調整可能に構成した。
図１７（Ａ）に示すように、２つの立体視用リム１６の外側縁部１６０６に上下に細長い単一の取り付け孔５４がそれぞれ形成されている。
取り付け孔５４の縁部は、図１０に示す第５の実施の形態と同様に、凹凸形状５４０２で構成されている。
図１７（Ｂ）、（Ｃ）に示すように、載置片５０は、取り付け孔５４に嵌合可能な２つの取り付け軸５６を有している。
２つの取り付け軸５６は断面が矩形を呈し、図１０に示す第５の実施の形態と同様に、取り付け軸５６の周面は取り付け孔５４の凹凸形状５４０２に係合可能な凹凸形状５６０２で形成されている。
図１８に示すように、取り付け孔５４の上下の位置を選択して取り付け軸５６を係合することで載置片５０の２つの立体視用リム１６に対する高さ調整が行われる。
【００３６】
第１１の実施の形態においても、第１０の実施の形態と同様の効果が奏される。
また、様々なデザインが施された眼鏡２を装着した使用者であっても、眼鏡２と立体視用眼鏡１０との間の視野が合致するように載置片５０の立体視用リム１６に対する高さ調整を行うことができる。あるいは、立体視用リム１６の上縁部１６０２あるいは下縁部１６０４が使用者の視界を邪魔しないように、載置片５０の立体視用リム１６に対する高さ調整を行うことができる。
したがって、立体視を確実に行うことができ、立体視用眼鏡１０の使い勝手の向上を図る上で有利となる。
また、取り付け孔５４および取り付け軸５６の凹凸形状のピッチを短い寸法で形成すれば、載置片５０の立体視用リム１６に対する高さ調整をきめ細かく行う上で有利となる。
【００３７】
なお、この第１１の実施の形態において、凹凸形状５４０２、５６０２の寸法を第６の実施の形態と同様に設定することで、取り付け軸５６を取り付け孔５４に嵌合した状態で載置片５０の高さ調整を行うことが可能となる。
さらに、載置片５０の取り付け軸５６の先端に、第６の実施の形態と同様な抜け止め部材４２を取着すると、載置片５０の紛失を防止でき使い勝手の向上を図る上で有利となる。
【００３８】
（第１２の実施の形態）
次に第１２の実施の形態について図１９を参照して説明する。
第１２の実施の形態は第１１の実施の形態の変形例であり、取り付け孔５４および取り付け軸５６をそれぞれ１つずつ設けた点が第１１の実施の形態と相違している。
図１２（Ａ）に示すように、立体視用ブリッジ２０の幅方向の中央に上下に細長い単一の取り付け孔５４が形成されている。
取り付け孔５４の縁部は、図１０に示す第５の実施の形態と同様に、凹凸形状５４０２で構成されている。
載置片５０は、取り付け孔５４に嵌合可能な１つの取り付け軸５６を有している。
取り付け軸５６は断面が矩形を呈し、図１０に示す第５の実施の形態と同様に、取り付け軸５６の周面は取り付け孔５４の凹凸形状５４０２に係合可能な凹凸形状５６０２で形成されている。
取り付け孔５４の上下の位置を選択して取り付け軸５６を係合することで載置片５０の２つの立体視用リム１６に対する高さ調整が行われる。
【００３９】
第１２の実施の形態においても、第１１の実施の形態と同様の効果が奏される。
なお、第１２の実施の形態においても、凹凸形状５４０２、５６０２の寸法を第６の実施の形態と同様に設定することで、取り付け軸５６を取り付け孔５４に嵌合した状態で載置片５０の高さ調整を行うことが可能となる。
さらに、載置片５０の取り付け軸５６の先端に、第６の実施の形態と同様な抜け止め部材４２を取着すると、載置片５０の紛失を防止でき使い勝手の向上を図る上で有利となる。
【００４０】
（第１３の実施の形態）
次に第１３の実施の形態について図２０、図２１を参照して説明する。
第１３の実施の形態は、第１の実施の形態の変形例であり、第１１、第１２の実施の形態と同様に載置片２６の立体視用リム１６に対する高さ調整を可能とした点が第１の実施の形態と相違している。
図２０（Ａ）に示すように、２つの立体視用リム１６の外側縁部１６０６および内側縁部１６０８に上下に細長い取り付け孔５８がそれぞれ形成されている。
取り付け孔５８の縁部は、図１０に示す第５の実施の形態と同様に、凹凸形状５８０２で構成されている。
【００４１】
図２０（Ｂ）、（Ｃ）に示すように、各載置片２６は、立体視用リム１６の外側縁部１６０６と内側縁部１６０８との間にわたって延在する寸法の幅で形成されている。
各載置片２６は後方に向かって凸状の湾曲形状を呈しており、左右幅方向の中央部分が最も後方に突出している。
なお、各載置片２６の後方への突出長さは、眼鏡を装着していない使用者がこの立体視用眼鏡１０を装着した際に、使用者の眉間に当たらない寸法で形成されている。すなわち、眼鏡を装着していない使用者が、通常の眼鏡と同様に何ら支障なく立体視用眼鏡１０を装着できるように形成されている。
各載置片２６は、取り付け孔５８に嵌合可能な２つの取り付け軸６０を有している。
図２０（Ｂ）、（Ｃ）に示すように、各載置片２６は、取り付け孔５８に嵌合可能な２つの取り付け軸６０を有している。
２つの取り付け軸６０は断面が矩形を呈し、図１０に示す第５の実施の形態と同様に、取り付け軸６０の周面は取り付け孔５８の凹凸形状５８０２に係合可能な凹凸形状６００２で形成されている。
図２１に示すように、取り付け孔５８の上下の位置を選択して取り付け軸６０を係合することで各載置片２６の立体視用リム１６に対する高さ調整が行われる。
【００４２】
第１３の実施の形態においても、第１の実施の形態と同様の効果が奏される。
また、様々なデザインが施された眼鏡２を装着した使用者であっても、眼鏡２と立体視用眼鏡１０との間の視野が合致するように各載置片２６の立体視用リム１６に対する高さ調整を行うことができる。あるいは、立体視用リム１６の上縁部１６０２あるいは下縁部１６０４が使用者の視界を邪魔しないように、各載置片２６の立体視用リム１６に対する高さ調整を行うことができる。
したがって、立体視を確実に行うことができ、立体視用眼鏡１０の使い勝手の向上を図る上で有利となる。
また、取り付け孔５８および取り付け軸６０の凹凸形状のピッチを短い寸法で形成すれば、各載置片２６の立体視用リム１６に対する高さ調整をきめ細かく行う上で有利となる。
【００４３】
なお、この第１３の実施の形態において、凹凸形状５８０２、６００２の寸法を第６の実施の形態と同様に設定することで、取り付け軸６０を取り付け孔５８に嵌合した状態で各載置片２６の高さ調整を行うことが可能となる。
さらに、各載置片２６の取り付け軸５８の先端に、第６の実施の形態と同様な抜け止め部材４２を取着すると、各載置片２６の紛失を防止でき使い勝手の向上を図る上で有利となる。
【００４４】
（第１４の実施の形態）
次に第１４の実施の形態について図２２を参照して説明する。
第１４の実施の形態では、係合部２２を構成する載置片６２が揺動可能にフレーム１４に取着されている点が上述の実施の形態と異なっている。
すなわち、フレーム１４の各立体視用リム１６の上縁部１６０２に、載置片６２を収容するための上方に開放状の凹部６４がそれぞれ設けられている。
載置片６２は、直線状の基部６２Ａと、円弧状の先部６２Ｂとを有し、それら基部６２Ａと先部６２Ｂとは凹部６４に収容される幅で形成されている。
載置片６２の幅方向の両端に支軸６６が突設され、それら支軸６６が凹部６４の両端面の軸受け孔６８に結合されることで載置片６２が立体視用リム１６に組み込まれている。
支軸６６と軸受け孔６８は、使用者の手により載置片６２を揺動でき、かつ、手を離すと揺動された載置片６２の姿勢が係止保持される嵌め合いで結合されている。
図２２（Ｃ）に示すように、載置片６２を立体視用リム１６に対して直角に後方に突出させた状態が、眼鏡に係止される係止位置となる。すなわち、載置片６２を、使用者が既に装着している眼鏡２のフレーム４のリム４Ａに載置することにより、立体視用光学部材１２を眼鏡２のレンズ６の前方箇所に位置させた状態が維持される。
また、図２２（Ｂ）に示すように、載置片６２を立体視用リム１６の上方かつ延長上に揺動させた状態が、眼鏡を掛けていない使用者に装着される非係止位置となる。
すなわち、眼鏡を装着していない使用者がこの立体視用眼鏡１０を装着する際には、載置片６２を非係止位置とし、立体視用テンプル１８の後部が使用者の耳に掛けられる。あるいは、テンプルの上方箇所で使用者の側頭部を挟持する。その際、切り欠き２００２を鼻に掛けることで切り欠き２００２を鼻当てとして使用することで立体視用眼鏡１０が使用者に安定して装着される。
第１４の実施の形態によれば、載置片６２を非係止位置とするので、眼鏡を掛けていない使用者が立体視用眼鏡１０を装着する場合、載置片６２が目蓋から前方に離れるため、立体視用眼鏡１０の装着感を高める上で有利となる。
【００４５】
（第１５の実施の形態）
次に第１５の実施の形態について図２３を参照して説明する。
第１５の実施の形態は第１４の実施の形態の変形例であり、図２３（Ａ）、（Ｂ）、（Ｃ）に示すように、各載置片６２に突起７０が設けられている点が第１４の実施の形態と相違している。
突起７０は、載置片６２の凹部６４から最も離れた先部６２Ｂの幅方向の中央に設けられている。
突起７０は、前記係止位置で眼鏡２のフレーム４のリム４Ａまたはこのリム４Ａに保持されたレンズ６に係止可能でそれらに係止することで立体視用光学部材１２の前方への移動を阻止するものである。
このような立体視用眼鏡１０を眼鏡２の上から装着した場合、使用者が頭部を下方に傾けた姿勢をとったとしても、突起２８が眼鏡２のリム４Ａまたはレンズ６に係止するため、立体視用光学部材１２の前方への移動が確実に阻止される。
したがって、第２の実施の形態によれば、立体視用光学部材１２を、既に装着している眼鏡２のレンズ６の前方箇所に安定した状態で位置させる上でより有利となり、３次元映像の立体視を確実に行う上でより有利となる。
【００４６】
（第１５の実施の形態）
次に第１５の実施の形態について図２４乃至図２６を参照して説明する。
上述の第１乃至第１４の実施の形態では、フレーム１４が合成樹脂やゴムなどで構成されている場合について説明したが、第１５の実施の形態では、フレームが紙で構成されている点が異なっている。
図２４、図２５に示すように、立体視用眼鏡１０は、２つの立体視用光学部材１２と、それら立体視用光学部材１２を保持するフレーム７４とで構成されている。
フレーム７４は、一枚の紙片で構成されている。
フレーム７４は、左右２つの立体視用リム７６と、左右２つの立体視用テンプル７８と、立体視用ブリッジ８０と、係合部８２とを含んで構成されている。
【００４７】
各立体視用リム７６は、矩形枠状を呈している。
各立体視用リム７６の前面または後面に、立体視用光学部材１２の周囲が接着剤により貼着されている。
立体視用ブリッジ８０は２つの立体視用リム７６の間に設けられ、２つの立体視用リム７６を連結している。
本実施の形態では、立体視用ブリッジ８０は、立体視用リム７６と同じ高さを有して左右に延在している。
立体視用ブリッジ８０の下部には下方に開放された切り欠き８００２が形成されている。
この切り欠き８００２は、既に眼鏡を装着している使用者がこの立体視用眼鏡１０を装着した際に、立体視用ブリッジ８０が使用者の鼻に当たらないようにするためのものである。
また、この切り欠き８００２は、眼鏡を装着していない使用者がこの立体視用眼鏡１０を装着した際に、立体視用ブリッジ８０が使用者の鼻に掛かり立体視用眼鏡１０が装着されるようにするためのものである。
【００４８】
２つの立体視用テンプル７８は、左右の立体視用リム７６の外縁上部に折れ線７６０２を介して連結されている。
２つの立体視用テンプル７８は細長形状を呈し、先端が耳掛け部７８０２となっている。
２つの立体視用テンプル７８はそれぞれ折れ線７６０２を境に後方に折り曲げられ、２つの立体視用テンプル７８の耳掛け部７８０２が使用者の耳に掛けられることで立体視用眼鏡１０が使用者に装着される。
詳細に説明すると、既に眼鏡を装着している使用者がこの立体視用眼鏡１０を装着する際に、立体視用テンプル７８の耳掛け部７８０２が、既に装着された眼鏡のテンプルの外側から、あるいは、既に装着された眼鏡のテンプルの上方箇所で使用者の耳に掛けられる。
なお、眼鏡を装着していない使用者がこの立体視用眼鏡１０を装着する際には、立体視用テンプル７８の耳掛け部７８０２が使用者の耳に掛けられ、切り欠き８００２が鼻に掛けられ鼻当てとして使用することで立体視用眼鏡１０が使用者に安定して装着される。
【００４９】
係合部８２は折れ線７６０４を介して左右の立体視用リム７６の上縁および立体視用ブリッジ８０の上縁に連結されている。
係合部８２は、立体視用光学部材１２を使用者が既に装着している眼鏡２のレンズ６の前方箇所に位置させた状態で、眼鏡２のフレーム４のリム４Ａに係合し立体視用光学部材１２を眼鏡２のレンズ６の前方箇所に位置させた状態を維持するものである。
本実施の形態では、係合部８２は、各立体視用リム１６に対応して２つ設けられている。
それら立体視用リム７６は、図２５、図２６（Ａ）に示すように、折れ線７６０４を境に後方に折り曲げられ、立体視用リム７６それぞれの上縁からそれぞれ後方に突出し、眼鏡２のフレーム４のリム４Ａに上方から載置可能な２つの載置片８６として構成されている。
なお、折り曲げた状態での各載置片８６の後方への突出長さは、眼鏡を装着していない使用者がこの立体視用眼鏡１０を装着した際に、使用者の目蓋に当たらない寸法で形成されている。すなわち、眼鏡を装着していない使用者が、通常の眼鏡と同様に何ら支障なく立体視用眼鏡１０を装着できるように形成されている。
【００５０】
また、各載置片８６の先端に折れ線７６０６を介して突片８８が設けられている。
突片８８は、折れ線７６０６を境に下方に折り曲げられる。
突片８８は、眼鏡２のフレーム４のリム４Ａまたはこのリム４Ａに保持されたレンズ６に係止可能でそれらに係止することで立体視用光学部材１２の前方への移動を阻止するものである。
このような立体視用眼鏡１０を眼鏡２の上から装着した場合、使用者が頭部を下方に傾けた姿勢をとったとしても、突片８８が眼鏡２のリム４Ａまたはレンズ６に係止するため、立体視用光学部材１２の前方への移動が確実に阻止される。
【００５１】
さらに、本実施の形態では、各載置片８６が後方へ折り曲げられた状態を保持するための保持片９０が設けられている。
保持片９０は、各載置片８６の幅方向の外端に折れ線７６０８を介して連結されている。
保持片９０は、立体視用テンプルと平行で細長形状に延在しており、立体視用テンプルと切れ目７６１０を介して切り離されている。
保持片９０は、図２４、図２６（Ａ）に示すように、載置片８６側から折れ線７６１２、７６１４を介して第１屈曲片９００２、第２屈曲片９００４、第３屈曲片９００６の３つの領域に区画されている。
２つの立体視用テンプル７８がそれぞれ折れ線７６０２を境に後方に折り曲げられた状態で、図２６（Ａ）、（Ｂ）、（Ｃ）に示すように、第１屈曲片９００２が折れ線７６０８を介して下方に折り曲げられ、立体視用テンプル７８の内側に位置する。
第２屈曲片９００４は、折れ線７６１２を境に上方に折り曲げられ、立体視用テンプル７８の外側面に重ね合わされる。
第３屈曲片９００６は、折れ線７６１４を境に下方に折り曲げられ、立体視用テンプル７８の内側面と第１屈曲片９００２との間に挟まれる。
このように保持片９０を立体視用テンプル７８の回りに折り曲げることで、各載置片８６が後方へ折り曲げられた状態が保持される。
【００５２】
第１５の実施の形態によれば、第１の実施の形態と同様の効果が奏されることは無論のこと、一枚の紙により立体視用フレーム７４が構成されていることによりコストダウンを図る上で極めて有利となっている。
【００５３】
上述の実施の形態では、立体視用リムに保持される光学部材が立体視用光学部材である立体視用眼鏡について説明したが、第１乃至第１５の実施の形態は、立体視用リムに保持される光学部材が立体視用光学部材以外の光学部材である眼鏡にも適用される。
すなわち、例えば、立体視用リムに保持される光学部材が、日食時等の太陽を観察する太陽観察用光学部材であってもよく、立体視用リムに保持される光学部材が、立体視用光学部材以外の種々の用途に用いられる光学部材である眼鏡にも無論適用可能である。
すなわち、本発明は、立体視用眼鏡や太陽観察用眼鏡などの全てを含む観察用眼鏡に広く適用されるものである。
この場合の観察用眼鏡は、観察する際に使用される観察用光学部材をそれぞれ保持し互いに連結された左右２つの観察用リムと、前記各観察用リムから後方に延在する観察用テンプルとを含む観察用フレームを備える。そして、係合部が前記観察用フレームに設けられている。前記観察用光学部材を使用者が既に装着している眼鏡のレンズの前方箇所に位置させた状態で、前記係合部は、前記眼鏡のフレームのリムまたはブリッジに係合し前記観察用光学部材を前記眼鏡のレンズの前方箇所に位置させた状態を維持する。
このような観察用眼鏡によっても、第１乃至第１５の実施の形態と同様な効果が奏される。
例えば、係合部を係合させるといった簡単な操作で、既に使用者が装着している眼鏡２のフレーム４の上から観察用フレームを装着することができ装着の容易化を図る上で有利となる。
また、観察用光学部材が、既に装着している眼鏡２のレンズ６の前方箇所に安定した状態で位置するため、種々の観察を確実に行う上で有利となるなどである。
【符号の説明】
【００５４】
１０……立体視用眼鏡、１２……立体視用光学部材、１４……立体視用フレーム、１６……立体視用リム、１８……立体視用テンプル、２２……係合部。
【図１】
2010160415.tif 000003
【図２】
2010160415.tif 000004
【図３】
2010160415.tif 000005
【図４】
2010160415.tif 000006
【図５】
2010160415.tif 000007
【図６】
2010160415.tif 000008
【図７】
2010160415.tif 000009
【図８】
2010160415.tif 000010
【図９】
2010160415.tif 000011
【図１０】
2010160415.tif 000012
【図１１】
2010160415.tif 000013
【図１２】
2010160415.tif 000014
【図１３】
2010160415.tif 000015
【図１４】
2010160415.tif 000016
【図１５】
2010160415.tif 000017
【図１６】
2010160415.tif 000018
【図１７】
2010160415.tif 000019
【図１８】
2010160415.tif 000020
【図１９】
2010160415.tif 000021
【図２０】
2010160415.tif 000022
【図２１】
2010160415.tif 000023
【図２２】
2010160415.tif 000024
【図２３】
2010160415.tif 000025
【図２４】
2010160415.tif 000026
【図２５】
2010160415.tif 000027
【図２６】
2010160415.tif 000028